(57)【要約】【課題】画面に表示された情報への共有情報及び非共有情報の記入の自由度を高めることができる操作端末、プログラム及び情報処理システムを提供することを課題とする。【解決手段】情報処理装置から受信した情報を、他の端末装置と同期させるように表示する端末装置であって、情報の画像に重ねて、ユーザからの記入を受け付ける１つ以上の記入画像を表示する表示制御手段と、記入画像ごとに共有／非共有の設定を受け付ける設定受付手段と、共有が設定された記入画像に記入された内容を、情報処理装置経由で他の端末装置に送信する送信手段とを有することにより、上記課題を解決する。【選択図】  図１
2015043149.tif 000002
【特許請求の範囲】
【請求項１】
情報処理装置から受信した情報を、他の端末装置と同期させるように表示する端末装置であって、
前記情報の画像に重ねて、ユーザからの記入を受け付ける１つ以上の記入画像を表示する表示制御手段と、
前記記入画像ごとに共有／非共有の設定を受け付ける設定受付手段と、
共有が設定された前記記入画像に記入された内容を、前記情報処理装置経由で前記他の端末装置に送信する送信手段と
を有することを特徴とする端末装置。
【請求項２】
前記設定受付手段は、前記記入画像ごとに表示／非表示の設定を更に受け付けること
を特徴とする請求項１記載の端末装置。
【請求項３】
前記設定受付手段は、前記記入画像が複数あるとき、ユーザからの記入を受け付ける対象の前記記入画像の変更を受け付けること
を特徴とする請求項１又は２記載の端末装置。
【請求項４】
共有が設定された前記記入画像に、前記情報の画像に対する操作権限を有するユーザからの記入を受け付けると、前記記入画像に記入された内容を前記情報処理装置経由で前記他の端末装置に送信し、前記情報の画像に対する操作権限を有しないユーザからの記入を受け付けると、前記情報の画像に対する操作権限を有しないユーザが前記情報の画像に対する操作権限を有するようになるまで、前記記入画像に記入された内容を前記情報処理装置経由で前記他の端末装置に送信しないこと
を特徴とする請求項１乃至３何れか一項記載の端末装置。
【請求項５】
前記記入画像はレイヤー構造であり、前記記入画像は前記情報の画像上に重ねられた透明レイヤーであること
を特徴とする請求項１乃至４何れか一項記載の端末装置。
【請求項６】
前記記入画像に記入された内容の保存方法の選択をユーザから受け付ける保存方法受付手段と、
前記保存方法受付手段が受け付けた前記記入画像に記入された内容の保存方法の選択に従い、前記情報処理装置に前記記入画像に記入された内容を保存する保存手段と
を更に有すること
を特徴とする請求項１乃至５何れか一項記載の端末装置。
【請求項７】
情報処理装置から受信した情報を、他の端末装置と同期させるように表示する端末装置を、
前記情報の画像に重ねて、ユーザからの記入を受け付ける１つ以上の記入画像を表示する表示制御手段、
前記記入画像ごとに共有／非共有の設定を受け付ける設定受付手段、
共有が設定された前記記入画像に記入された内容を、前記情報処理装置経由で前記他の端末装置に送信する送信手段
として機能させるためのプログラム。
【請求項８】
情報を表示する一つ以上の操作端末と、前記操作端末に表示させる情報を管理する情報処理装置と、を有する情報処理システムであって、
一の操作端末において、前記情報の画像に重ねて、ユーザからの記入を受け付ける１つ以上の記入画像を表示する第１の表示制御手段と、
前記一の端末装置において、前記記入画像ごとに共有／非共有の設定を受け付ける設定受付手段と、
前記一の端末装置において、共有が設定された前記記入画像に記入された内容を、前記情報処理装置に送信する送信手段と、
他の端末装置において、前記情報処理装置から前記共有が設定された前記記入画像に記入された内容を受信する受信手段と、
前記他の端末装置において、前記共有が設定された前記記入画像に記入された内容を前記情報の画像に重ねて表示する第２の表示制御手段と
を有することを特徴とする情報処理システム。
【発明の詳細な説明】
【技術分野】
【０００１】
本発明は操作端末、プログラム及び情報処理システムに関する。
【背景技術】
【０００２】
電子資料をリアルタイムに閲覧できる画面共有ソフトウェアと、電子会議に参加する全員が議論の内容になる文字や描画等を自由に記入可能なアプリケーションソフトウェアとを同時に併用して電子会議を行う電子会議システムは従来から知られている（例えば特許文献１参照）。
【発明の概要】
【発明が解決しようとする課題】
【０００３】
従来の電子会議システムでは、会議で共有するドキュメント等の資料への文字や描画等の記入を行うとき、会議の参加者で共有する共有メモの機能又は会議の参加者で共有しない非共有メモ（個人用メモ）の機能の何れかを利用する必要がある。
【０００４】
そのため、従来の電子会議システムでは、会議で共有する資料と共有メモを会議で共有しつつ、非共有メモを利用するような使い方ができなかった。このように従来の電子会議システムでは、会議で共有する資料への共有メモ及び非共有メモの記入の自由度が低いという問題があった。このような問題は、会議システムと同様に、操作端末において画面に表示された情報に共有情報及び非共有情報の記入を行う情報処理システムにおいても共通に存在する。
【０００５】
本発明の実施の形態は、上記の点に鑑みなされたもので、画面に表示された情報への共有情報及び非共有情報の記入の自由度を高めることができる操作端末、プログラム及び情報処理システムを提供することを目的とする。
【課題を解決するための手段】
【０００６】
上記目的を達成するため、本願請求項１は、情報処理装置から受信した情報を、他の端末装置と同期させるように表示する端末装置であって、前記情報の画像に重ねて、ユーザからの記入を受け付ける１つ以上の記入画像を表示する表示制御手段と、前記記入画像ごとに共有／非共有の設定を受け付ける設定受付手段と、共有が設定された前記記入画像に記入された内容を、前記情報処理装置経由で前記他の端末装置に送信する送信手段とを有することを特徴とする。
【発明の効果】
【０００７】
本発明の実施の形態によれば、画面に表示された情報への共有情報及び非共有情報の記入の自由度を高めることができる。
【図面の簡単な説明】
【０００８】
【図１】本実施形態に係る会議システムの一例の構成図である。
【図２】本実施形態に係る会議システムの一例のハードウェア構成図である。
【図３】本実施形態に係る会議システムの一例の機能ブロック図である。
【図４】会議情報ＤＢに格納されている会議情報の一例の構成図である。
【図５】ユーザ情報ＤＢに格納されているユーザ情報の一例の構成図である。
【図６】文書情報ＤＢに格納されている文書情報の一例の構成図である。
【図７】一時保存領域に保存されているファイル情報及びメモ情報の一例の構成図である。
【図８】メモの共有／非共有を制御する構成の一例のイメージ図である。
【図９】会議システムのクライアント用画面の一例のイメージ図である。
【図１０】クライアント用画面に表示されるメモを表した一例のイメージ図である。
【図１１】会議システムのクライアント用画面の他の例のイメージ図である。
【図１２】メモの保存設定画面の一例のイメージ図である。
【図１３】メモを生成する処理の一例のフローチャートである。
【図１４】発表者のメモを共有する処理の一例のフローチャートである。
【図１５】会議サーバ装置及び文書管理サーバ装置の処理概要の一例のフローチャートである。
【図１６】メモを保存する処理の一例のフローチャートである。
【発明を実施するための形態】
【０００９】
次に、本発明の実施の形態について、詳細に説明する。なお、本実施形態では情報処理システムの一例としての会議システムについて説明する。
［第１の実施形態］
＜システム構成＞
図１は本実施形態に係る会議システムの一例の構成図である。図１の会議システム１は１つ以上のクライアント装置１０、映像投影装置１１、表示装置１２、会議サーバ装置１３及び文書管理サーバ装置１４が、ネットワーク１８に有線や無線で接続されている。
【００１０】
なお、会議サーバ装置１３及び文書管理サーバ装置１４は、１つのコンピュータ上で動作するソフトウェアやサービスであってもよい。また、会議サーバ装置１３及び文書管理サーバ装置１４は１つ以上のコンピュータ上で動作するソフトウェアやサービスであってもよい。例えば会議サーバ装置１３及び文書管理サーバ装置１４は所謂クラウドサービスの形態をとることもできる。
【００１１】
クライアント装置１０はユーザが操作する操作端末である。クライアント装置１０はＰＣ（パーソナルコンピュータ）やタブレット端末、スマートフォンや携帯電話、ＰＤＡなどの携帯情報端末など、である。
【００１２】
映像投影装置１１はプロジェクタ等の映像を投影する装置である。表示装置１２は映像投影先の電子黒板、大型モニタなど、である。会議サーバ装置１３は会議に関する情報処理を行う装置である。文書管理サーバ装置１４は文書管理に関する情報処理を行う装置である。会議サーバ装置１３及び文書管理サーバ装置１４はＷＳ（ワークステーション）やＰＣなど、である。
【００１３】
クライアント装置１０は会議情報の作成や表示、文書（会議資料）及びその他の関連情報の表示を行うための会議アプリケーションを実装している。また、クライアント装置１０は文書管理サーバ装置１４で管理されている文書の表示などを行うための文書管理アプリケーションを実装している。
【００１４】
映像投影装置１１はクライアント装置１０から投影要求を受け、クライアント装置１０の画面を、指定された場所に投影する。また、表示装置１２は映像投影装置１１が投影したクライアント装置１０の画面、もしくは、クライアント装置１０から送信されたクライアント装置１０の画面、を表示する。
【００１５】
会議サーバ装置１３は、登録された会議の会議情報を保管する。また、会議サーバ装置１３は会議中に会議の状態などを管理する。文書管理サーバ装置１４は、登録された文書のコンテンツ及び文書情報などを保管する。文書管理サーバ装置１４は、会議サーバ装置１３からの指示によって会議中又は会議後の文書に対する自動処理なども実行する。
【００１６】
クライアント装置１０は、会議システム１のクライアント用画面や会議管理画面などが表示される。例えば会議に参加しているユーザの会議資料に対する操作（個人メモ等）を受け付けると、クライアント装置１０はユーザの会議資料に対する操作を一時保存領域にファイルで保存する。
【００１７】
最終的に文書管理サーバ装置１４に保存する場合、クライアント装置１０は通信要求を会議サーバ装置１３に送る。通信が確立されると、クライアント装置１０はファイルを会議サーバ装置１３に送信する。会議サーバ装置１３はクライアント装置１０から受信したファイルを、会議情報及びユーザ情報と共に文書管理サーバ装置１４に送信する。文書管理サーバ装置１４は会議情報及びユーザ情報に基づき、受信したファイルを適切な場所に保存し、処理する。
【００１８】
また、文書管理サーバ装置１４は会議で使用される文書を保存している。なお、本実施形態における文書は、１つ以上のアプリケーションファイル等がセクションとして含まれる構成である。例えば１つの文書には、文書作成アプリケーションファイルや表計算アプリケーションファイル、テキストファイル、画像ファイルなどのファイルがセクションとして含まれる。
【００１９】
本実施形態では、会議システム１における会議で使用している会議資料（文書）に文字や描画等の記入を行う場合の、記入した内容の共有／非共有を制御する処理について説明するが、会議の登録、編集、削除、検索を行うこともできる。また、会議システム１は会議資料（文書や音声データ）の登録、編集、削除等を行うこともできる。
【００２０】
＜ハードウェア構成＞
クライアント装置１０、会議サーバ装置１３、文書管理サーバ装置１４は、例えば図２に示すハードウェア構成により実現される。
【００２１】
図２は本実施形態に係る会議システムの一例のハードウェア構成図である。図２に示したクライアント装置１０は、入力装置５０１、表示装置５０２、外部Ｉ／Ｆ５０３、ＲＡＭ５０４、ＲＯＭ５０５、ＣＰＵ５０６、通信Ｉ／Ｆ５０７、ＨＤＤ１０８、等を備え、それぞれがバスＢで相互に接続されている。なお、クライアント装置１０はカメラ、マイク、スピーカなどを有する構成であってもよい。
【００２２】
入力装置５０１はキーボードやマウス、タッチパネルなどを含み、クライアント装置１０に各操作信号を入力するのに用いられる。表示装置５０２はディスプレイ等を含み、クライアント装置１０による処理結果を表示する。通信Ｉ／Ｆ５０７はクライアント装置１０をネットワーク１８に接続するインタフェースである。これにより、クライアント装置１０は通信Ｉ／Ｆ５０７を介して会議サーバ装置１３や文書管理サーバ装置１４とデータ通信を行うことができる。
【００２３】
ＨＤＤ５０８は、プログラムやデータを格納している不揮発性の記憶装置である。格納されるプログラムやデータには、クライアント装置１０全体を制御する基本ソフトウェアであるＯＳ、及びＯＳ上において各種機能を提供するアプリケーションソフトウェアなどがある。また、ＨＤＤ５０８は格納しているプログラムやデータを、所定のファイルシステム及び／又はＤＢにより管理している。
【００２４】
外部Ｉ／Ｆ５０３は、外部装置とのインタフェースである。外部装置には、記録媒体５０３ａなどがある。これにより、クライアント装置１０は外部Ｉ／Ｆ５０３を介して、記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリ等がある。
【００２５】
ＲＯＭ５０５は、電源を切ってもプログラムやデータを保持することができる不揮発性の半導体メモリ（記憶装置）である。ＲＯＭ１０５には、クライアント装置１０の起動時に実行されるＢＩＯＳ、ＯＳ設定、及びネットワーク設定などのプログラムやデータが格納されている。ＲＡＭ５０４は、プログラムやデータを一時保持する揮発性の半導体メモリである。
【００２６】
ＣＰＵ５０６は、ＲＯＭ５０５やＨＤＤ５０８などの記憶装置からプログラムやデータをＲＡＭ５０４上に読み出し、処理を実行することで、クライアント装置１０全体の制御や機能を実現する演算装置である。
【００２７】
クライアント装置１０は、例えば上記ハードウェア構成でプログラムを実行することにより、後述するような各種処理を実現できる。
【００２８】
図２に示した会議サーバ装置１３は、入力装置６０１、表示装置６０２、外部Ｉ／Ｆ６０３、ＲＡＭ６０４、ＲＯＭ６０５、ＣＰＵ６０６、通信Ｉ／Ｆ６０７、ＨＤＤ６０８等を備え、それぞれがバスＢで相互に接続されている。なお、入力装置６０１及び表示装置６０２は必要なときに接続して利用する形態であってもよい。
【００２９】
入力装置６０１はキーボードやマウスなどを含み、会議サーバ装置１３に各操作信号を入力するのに用いられる。表示装置６０２はディスプレイ等を含み、会議サーバ装置１３による処理結果を表示する。
【００３０】
通信Ｉ／Ｆ６０７は会議サーバ装置１３をネットワーク１８に接続するインタフェースである。これにより、会議サーバ装置１３は通信Ｉ／Ｆ６０７を介してクライアント装置１０や文書管理サーバ装置１４とデータ通信を行うことができる。
【００３１】
ＨＤＤ６０８は、プログラムやデータを格納している不揮発性の記憶装置である。格納されるプログラムやデータには、会議サーバ装置１３全体を制御する基本ソフトウェアであるＯＳ、及びＯＳ上において各種機能を提供するアプリケーションソフトウェアなどがある。また、ＨＤＤ６０８は格納しているプログラムやデータを、所定のファイルシステム及び／又はＤＢにより管理している。
【００３２】
外部Ｉ／Ｆ６０３は、外部装置とのインタフェースである。外部装置には、記録媒体６０３ａなどがある。これにより、会議サーバ装置１３は外部Ｉ／Ｆ６０３を介して、記録媒体６０３ａの読み取り及び／又は書き込みを行うことができる。記録媒体６０３ａにはフレキシブルディスク、ＣＤ、ＤＶＤ、ＳＤメモリカード、ＵＳＢメモリ等がある。
【００３３】
ＲＯＭ６０５は、電源を切ってもプログラムやデータを保持することができる不揮発性の半導体メモリ（記憶装置）である。ＲＯＭ６０５には、会議サーバ装置１３の起動時に実行されるＢＩＯＳ、ＯＳ設定、及びネットワーク設定などのプログラムやデータが格納されている。ＲＡＭ６０４は、プログラムやデータを一時保持する揮発性の半導体メモリである。
【００３４】
ＣＰＵ６０６は、ＲＯＭ６０５やＨＤＤ６０８などの記憶装置からプログラムやデータをＲＡＭ６０４上に読み出し、処理を実行することで、会議サーバ装置１３全体の制御や機能を実現する演算装置である。
【００３５】
会議サーバ装置１３は、例えば上記ハードウェア構成でプログラムを実行することにより、後述するような各種処理を実現できる。
【００３６】
また、図２に示した文書管理サーバ装置１４は、入力装置７０１、表示装置７０２、外部Ｉ／Ｆ７０３、ＲＡＭ７０４、ＲＯＭ７０５、ＣＰＵ７０６、通信Ｉ／Ｆ７０７、ＨＤＤ７０８等を備え、それぞれがバスＢで相互に接続されている。なお、入力装置７０１及び表示装置７０２は必要なときに接続して利用する形態であってもよい。
【００３７】
入力装置７０１はキーボードやマウスなどを含み、文書管理サーバ装置１４に各操作信号を入力するのに用いられる。表示装置７０２はディスプレイ等を含み、文書管理サーバ装置１４による処理結果を表示する。
【００３８】
また、通信Ｉ／Ｆ７０７は文書管理サーバ装置１４をネットワーク１８に接続するインタフェースである。これにより、文書管理サーバ装置１４は通信Ｉ／Ｆ７０７を介してクライアント装置１０や会議サーバ装置１３とデータ通信を行うことができる。
【００３９】
ＨＤＤ７０８はプログラムやデータを格納している不揮発性の記憶装置である。格納されるプログラムやデータには、文書管理サーバ装置１４全体を制御する基本ソフトウェアであるＯＳ、及びＯＳ上において各種機能を提供するアプリケーションソフトウェアなどがある。また、ＨＤＤ７０８は格納しているプログラムやデータを、所定のファイルシステム及び／又はＤＢにより管理している。
【００４０】
外部Ｉ／Ｆ７０３は、外部装置とのインタフェースである。外部装置には、記録媒体７０３ａなどがある。これにより、文書管理サーバ装置１４は外部Ｉ／Ｆ７０３を介して記録媒体７０３ａの読み取り及び／又は書き込みを行うことができる。記録媒体７０３ａにはフレキシブルディスク、ＣＤ、ＤＶＤ、ＳＤメモリカード、ＵＳＢメモリ等がある。
【００４１】
ＲＯＭ７０５は、電源を切ってもプログラムやデータを保持することができる不揮発性の半導体メモリ（記憶装置）である。ＲＯＭ７０５には、文書管理サーバ装置１４の起動時に実行されるＢＩＯＳ、ＯＳ設定、及びネットワーク設定などのプログラムやデータが格納されている。ＲＡＭ７０４は、プログラムやデータを一時保持する揮発性の半導体メモリである。
【００４２】
ＣＰＵ７０６は、ＲＯＭ７０５やＨＤＤ７０８などの記憶装置からプログラムやデータをＲＡＭ７０４上に読み出し、処理を実行することで、文書管理サーバ装置１４全体の制御や機能を実現する演算装置である。
【００４３】
文書管理サーバ装置１４は、例えば上記ハードウェア構成でプログラムを実行することにより、後述するような各種処理を実現できる。
【００４４】
＜ソフトウェア構成＞
本実施形態に係る会議システム１は例えば図３に示す機能ブロックで実現される。図３は本実施形態に係る会議システムの一例の機能ブロック図である。
【００４５】
クライアント装置１０は、会議アプリケーションや文書管理アプリケーションなどのプログラムを実行することで、イベント管理部２１、情報管理部２２、通信処理部２３及びファイル管理部２４を実現している。
【００４６】
会議サーバ装置１３はプログラムを実行することで、情報管理部３１、通信処理部３２等を実現している。情報管理部３１は、会議情報管理部３５、状態管理部３６、ユーザ情報管理部３７、一時保存ファイル管理部３８を含む構成である。会議サーバ装置１３は会議情報ＤＢ（データベース）５１及びユーザ情報ＤＢ５２に接続されている。
【００４７】
また、文書管理サーバ装置１４はプログラムを実行することで、情報管理部４１、通信処理部４２、文書登録処理部４３、文書更新処理部４４等を実現している。情報管理部４１は文書情報管理部４６、ユーザ情報管理部４７を含む構成である。文書管理サーバ装置１４はユーザ情報ＤＢ５２及び文書情報ＤＢ５３に接続されている。
【００４８】
会議システム１を利用するユーザはクライアント装置１０に搭載されている会議アプリケーションを起動させる。クライアント装置１０の通信処理部２３は会議サーバ装置１３の通信処理部３２との間の通信を確立させる。クライアント装置１０は会議サーバ装置１３を介して他のクライアント装置１０との間で画面を共有する。
【００４９】
クライアント装置１０は複数存在することができる。そのうち、発表者であるユーザが操作を行う、発表者の役割を担うクライアント装置１０（以下、発表者のクライアント装置１０と呼ぶ）は、共有画面に対して操作が行われると、その操作の情報を会議サーバ装置１３に送信する。また、参加者であるユーザが操作を行う、参加者の役割を担うクライアント装置１０（以下、参加者のクライアント装置１０と呼ぶ）は、発表者のクライアント装置１０が会議サーバ装置１３に送信した操作の情報を、会議サーバ装置１３から受信する。参加者のクライアント装置１０は、表示された文書に対して描画などの操作が行われると、一時保存領域に保存する。
【００５０】
会議サーバ装置１３は、発表者のクライアント装置１０を管理し、クライアント装置１０の間での画面共有をコントロールする。会議サーバ装置１３の情報管理部３１はクライアント装置１０からの要求に応じた各種処理を実行する、会議情報管理部３５、状態管理部３６、ユーザ情報管理部３７、一時保存ファイル管理部３８等の各種処理部を含む。
【００５１】
会議情報管理部３５は後述する会議情報の管理を行う。状態管理部３６は後述する会議情報に含まれる会議状態を管理する。ユーザ情報管理部３７は後述するユーザ情報を管理する。一時保存ファイル管理部３８は一時保存領域に保存するファイルを管理する。
【００５２】
また、会議サーバ装置１３は会議システム１で管理される文書を蓄積する会議情報ＤＢ５１と、ユーザ情報を蓄積するユーザ情報ＤＢ５２と、が接続されている。会議情報ＤＢ５１は登録された会議の会議情報、会議に登録された文書の情報、会議状態など、を格納している。ユーザ情報ＤＢ５２は会議システム１にログインするユーザのアカウント、パスワード、個人フォルダの情報など、を格納している。
【００５３】
文書管理サーバ装置１４の情報管理部４１は会議サーバ装置１３からの要求に応じた各種処理を実行する、文書情報管理部４６、ユーザ情報管理部４７等の各種処理部を含んでいる。また、文書管理サーバ装置１４はユーザ情報ＤＢ５２と、文書管理サーバ装置１４で管理される文書を蓄積する文書情報ＤＢ５３と、が接続されている。文書情報ＤＢ５３は登録された文書の文書情報、コンテンツ、サブコンテンツ、全文検索データ、版情報、編集状態など、を格納している。
【００５４】
映像投影装置１１、表示装置１２は、クライアント装置１０で表示されている会議で使用中の文書、又は、会議で利用するその他の情報など、をユーザが参照できるように投影もしくは表示する。会議システム１は、映像投影装置１１及び表示装置１２の機能などにより、映像投影装置１１及び表示装置１２の両方、映像投影装置１１及び表示装置１２の一方、を有する構成であってもよい。
【００５５】
会議前、ユーザにより文書が会議システム１に登録されると、文書の実データ（コンテンツ）及び文書情報は文書情報ＤＢ５３に保存される。文書情報には、初期登録時に設定される文書名や文書管理サーバ装置１４で生成される全文検索データ等が含まれる。文書情報ＤＢ５３に保存された文書情報は、実データもしくは文書情報自体が編集されたときに更新される。
【００５６】
ユーザ情報ＤＢ５２にはユーザのアカウント、パスワード、個人フォルダの情報が登録される。ユーザはアカウント、パスワードによりログインすると、ユーザ情報ＤＢ５２に登録されている、それぞれのユーザの個人フォルダの情報に基づき、個人フォルダにアクセスできる。
【００５７】
なお、ログインについて、本実施形態では文書管理サーバ装置１４にアクセスするときに認証を行う構成としているが、会議システム１自体を利用する際に、最初に認証が行われる構成であってもよい。また、会議システム１はユーザ登録を必要としない簡易会議の形態を取ることも可能である。その場合、ユーザ情報ＤＢ５２は無くてもよい。
【００５８】
また、会議前、ユーザにより会議が会議システム１に作成されると、会議サーバ装置１３は会議の会議情報（会議名、日時など）や会議に使用する文書の情報等を会議情報ＤＢ５１に登録する。会議が始まると、会議サーバ装置１３は会議情報ＤＢ５１に登録された会議に使用する文書の情報等をもとに、その会議で使用する文書を、文書管理サーバ装置１４を介して文書情報ＤＢ５３から取得する。会議サーバ装置１３は取得した文書を会議に参加しているクライアント装置１０に配信する。会議サーバ装置１３はクライアント装置１０の会議アプリケーション上に表示される文書が同期するように管理する。
【００５９】
会議サーバ装置１３は、それぞれのクライアント装置１０が発表者のクライアント装置１０であるか、参加者のクライアント装置１０であるか、を管理している。言い換えれば会議サーバ装置１３は、会議に参加しているクライアント装置１０の中で、どれが発表者のクライアント装置１０であるかを管理している。
【００６０】
会議サーバ装置１３は、発表者のクライアント装置１０において行われた文書に対する操作（ページめくりや描画など）が通知される。会議サーバ装置１３は文書の状態や編集内容などを一時保存領域に保存し、参加者のクライアント装置１０に通知することで会議アプリケーション上に表示される文書を同期させる。
【００６１】
一方、参加者のクライアント装置１０において行われた文書に対する操作は参加者のクライアント装置１０の一時保存領域に保存される。一時保存領域に保存された文書に対する操作は、参加者による会議終了通知が行われたあと、必要に応じて参加者の個人フォルダに登録される。
【００６２】
例えば会議サーバ装置１３は参加者による会議終了通知が行われると、会議中に参加者が行った文書に対する操作の保存の有無を、参加者に確認する。会議サーバ装置１３は保存が選択されると、認証により参加者を特定し、会議中に参加者が行った文書に対する操作を参加者の個人フォルダに保存する。
【００６３】
クライアント装置１０においてメモを作成するとき、ユーザはメモ記入前に、メモを共有のもの（共有メモ）とするか、非共有のもの（非共有メモ）とするのか、を選択することができる。発表者により共有メモが選択された場合、メモは参加者のクライアント装置１０に通知され、同期される。参加者により共有メモが選択された場合、メモは共有という情報と共に参加者のクライアント装置１０の一時保存領域に保存される。そして、参加者であったユーザが発表者になったとき、共有という情報と共に一時保存領域に保存されていたメモは参加者のクライアント装置１０に通知され、同期される。
【００６４】
非共有メモが選択された場合、発表者又は参加者によらず、メモは非共有という情報と共に発表者又は参加者のクライアント装置１０の一時保存領域に保存される。なお、非共有という情報と共に一時保存領域に保存されたメモは、後から文書と共に、又は、別文書として保存することができる。
【００６５】
クライアント装置１０でメモが作成されると、クライアント装置１０のファイル管理部２４は一時保存ファイルを生成し、メモとファイルとを管理する。メモの共有／非共有などの制御とメモ上に描画されるストロークの情報については、情報管理部２２が保存して管理する。
【００６６】
発表者の共有メモの場合、イベント管理部２１は描画イベントを受け、随時、メモの情報を会議サーバ装置１３に送信する。発表者の共有メモ以外の場合、イベント管理部２１はクライアント装置１０内で処理を行う。参加者の共有メモの場合、イベント管理部２１は参加者であったユーザが発表者になったとき、描画済みの共有メモの情報をまとめて会議サーバ装置１３に送信したあと、発表者のクライアント装置１０の通常の処理を行うものとする。
【００６７】
一時「共有メモ」を選択してメモを作成したあとに「非共有メモ」を作成したくなった場合、又は、その逆のパターンの場合、ユーザは新規にメモを作成し、作成したメモについて「共有」又は「非共有」を設定する。
【００６８】
また、一度「共有メモ」を選択してメモを作成したあとに「非共有メモ」に変更したくなった場合、又は、その逆のパターンの場合、ユーザは既存のメモの「共有」又は「非共有」の設定を変更する。
【００６９】
ただし、既に会議サーバ装置１３に送信済みで通信を終えている（変更時に発表者ではない）メモについては、共有／非共有の状態（共有状態）を変更しても、会議サーバ装置１３上のファイルに反映されない（送られたメモが自動では消えない）ものとする。
【００７０】
なお、変更時に発表者であれば、共有／非共有の状態（共有状態）を変更することにより会議サーバ装置１３上のファイルに反映される（送られたメモが自動では消える）ものとする。
【００７１】
各メモは、全て背景透過で重ねて表示されるものとする。また、各メモは必要に応じてメモ毎にクライアント装置１０のアプリケーション上での「表示」又は「非表示」の設定を行えるものとする。また、各メモは「共有」と「非共有」とで文字色や線色を変更して表示し、ユーザ自身がひと目で、どの記載内容が「共有」か「非共有」かが分かるようにする。
【００７２】
また、複数のメモがある場合は、どのメモがアクティブであるか（今、記入を行っている対象であるか）を色などで、視覚的に画面上で分かるようにする。メモの情報（記載内容の画像ファイル）及び各メモの共有／非共有の設定等は、クライアント装置１０の一時記憶領域にレイヤー構造を保った状態で保存、管理され、会議終了時に文書と共に保存されたり、破棄されたりする。
【００７３】
また、クライアント装置１０はメモの共有／非共有などの制御を実施するための上記した構成を利用して、クライアント装置１０において、メモの保存時の制御を行うことができる。
【００７４】
例えばユーザはメモの内容によって、文書に上書き（合成）して保存したい場合、別紙で保存したい場合、別文書として（個人用など）保存したい場合、破棄したい場合、などがある。メモごとに保存方法を変えたい場合、ユーザは会議終了時のメモ保存のタイミングで「メモごとに保存設定」といったメニュー又はダイアログ表示からメモごとに保存方法の設定を行う。
【００７５】
１つのメモの中で保存方法を変えたい箇所がある場合、ユーザはメモ保存前にメモを分割（一部を切り取って新規メモに貼り付け）してから保存方法の設定を行う。メモごとに保存方法を変えない場合、ユーザは保存方法の一括設定が可能である。また、ユーザはデフォルトの動作を規定して、そのデフォルトの動作に従ってメモの保存を行うようにしてもよい。
【００７６】
図４は会議情報ＤＢに格納されている会議情報の一例の構成図である。図４の会議情報は、項目としてＩＤ、会議名、回数、主催者、参加者、文書、日時、会議場所、アジェンダなど、を有する。
【００７７】
ＩＤは会議を識別する情報であり、例えば会議ＩＤである。会議名及び回数はユーザが会議を識別するための情報であり、例えば会議の名称及び回数である。主催者は会議の主催者を識別する情報であり、例えばユーザＩＤである。参加者は会議に参加する参加者を識別する情報であり、例えばユーザＩＤである。参加者には複数のユーザＩＤを設定することができる。文書は会議に登録された文書を識別する情報であり、例えば文書ＩＤや文書ＵＲＬである。文書には複数の文書ＩＤや文書ＵＲＬを設定することができる。日時は会議を開催する日時である。会議場所は仮想的な会議室を識別する情報であり、例えば会議室の名前やＩＤである。アジェンダは会議の議題などの情報であり、文字列やアジェンダＩＤなど、で表される。
【００７８】
また、図５はユーザ情報ＤＢに格納されているユーザ情報の一例の構成図である。図５のユーザ情報は、項目としてＩＤ、アカウント、パスワード、フォルダなど、を有する。
【００７９】
ＩＤはユーザを識別する情報であり、ユーザＩＤ等である。アカウント及びパスワードはユーザがログインに使用する情報である。フォルダは個人フォルダを特定するための情報であり、例えば個人フォルダＩＤやフォルダＵＲＬである。
【００８０】
図６は文書情報ＤＢに格納されている文書情報の一例の構成図である。図６の文書情報は文書の情報と、セクション情報と、が格納されている。
【００８１】
文書の情報は、項目としてＩＤ、文書名、作成者、作成日、セクション、版情報、メモ文書ＩＤ、場所、会議など、を有する。セクション情報は、項目としてＩＤ、文書、セクション番号など、を有する。
【００８２】
ＩＤは文書を識別する情報であり、例えば文書ＩＤである。文書名はユーザが文書を識別するための情報であり、例えば文書の名称である。作成者は文書を作成したユーザを識別するための情報であり、例えば名前やアカウントである。作成日は文書が作成された作成日である。セクションは文書に含まれるセクションを識別するための情報であり、例えばセクション情報ＩＤである。セクションにはセクション情報ＩＤを複数設定できる。
【００８３】
版情報は文書の版を識別する情報であり、版上げの場合に使用される。メモ文書ＩＤはメモとしてリンクした文書（子文書）を識別する情報であり、例えば文書ＩＤである。メモ文書ＩＤには複数の文書ＩＤを設定できる。場所は文書の実データが格納されている文書管理サーバ装置１４上での場所を識別する情報であり、例えばフォルダパスである。会議は資料が使用された会議を識別する情報であり、例えば会議ＩＤである。
【００８４】
また、セクション情報のＩＤはセクション情報を識別する情報であり、セクション情報ＩＤ等である。文書は文書を識別する情報であり、例えば文書ＩＤである。セクション番号はセクションを識別する情報であり、例えばセクション番号である。
【００８５】
また、図７は一時保存領域に保存されているファイル情報及びメモ情報の一例の構成図である。ファイル情報は、項目としてＩＤ、ファイル名、メモなど、を有する。メモ情報は、項目としてＩＤ、ファイル、ページ、共有、表示、詳細など、を有する。
【００８６】
ＩＤは一時保存領域に保存されたファイルを識別する情報であり、例えばセクションＩＤである。ファイル名はユーザがファイルを識別するための情報であり、例えばファイルの名称である。メモはファイルに記入したメモを識別する情報であり、例えばメモＩＤである。メモには複数のメモＩＤを設定できる。
【００８７】
また、メモ情報のＩＤはメモ情報を識別する情報であり、メモＩＤ等である。ファイルはメモを記入したファイルを識別する情報であり、セッションＩＤ等である。ページはメモを記入したページを識別する情報であり、ページ番号等である。共有はメモを共有するか非共有とするかを識別する情報であり、共有フラグ等である。表示はメモを表示するか非表示とするかを識別する情報であり、表示フラグ等である。詳細は記入された文字や描画等を表した情報であり、描画ストローク情報等である。詳細には複数の描画ストローク情報を設定できる。
【００８８】
＜処理イメージ＞
図８はメモの共有／非共有を制御する構成の一例のイメージ図である。図８では共有メモ１００１と非共有メモ１００２とを区別して管理、制御する構成を表している。本実施形態の会議システム１では文書（会議資料）１００３を表示した画面上に、共有メモ１００１又は非共有メモ１００２として利用する為の透明レイヤーを複数枚、作成する。
【００８９】
なお、各透明レイヤーは図７の共有フラグにより共有／非共有を設定できる。また、各透明レイヤーは図７の表示フラグにより表示／非表示を設定できる。つまり、本実施形態の会議システム１では透明レイヤー毎に共有／非共有の設定ができると共に、表示／非表示の設定もできる。共有が設定された透明レイヤーのメモは共有メモとして参加者のクライアント装置１０に通知され、同期される。
【００９０】
図９は会議システムのクライアント用画面の一例のイメージ図である。図９のクライアント用画面１０１０は新規メモ作成ボタン１０１１、メモ選択／設定ボタン１０１２を備える。ユーザはメモを作成するとき、新規メモ作成ボタン１０１１を押下することで新しいメモ（透明レイヤー）を作成して記入を行う。
【００９１】
メモの記入中に新規メモ作成ボタン１０１１が押下されると、クライアント装置１０は記入中のメモの上に新しいメモを作成し、新しいメモへの記入を受け付ける。新しいメモはデフォルトで例えば共有、表示が設定されている。新しいメモのデフォルト値は変更可能とする。
【００９２】
メモ選択／設定ボタン１０１２が押下されると、クライアント装置１０はクライアント用画面１０１０にメモ設定画面１０１３を表示する。メモ設定画面１０１３ではメモ毎に共有、表示の設定を行うことができる。例えば図９のメモ設定画面１０１３では共有、表示のチェックボックスへのチェックの有無により、共有／非共有、表示／非表示を設定できる。なお、非表示となった（表示のチェックボックスのチェックが外された）メモが記入を受け付けるアクティブであった場合はアクティブでなくなり記入が行えなくなる。
【００９３】
また、図９のメモ設定画面１０１３は、現在どのメモがアクティブであるかが色分けなど視覚的に分かるようになっている。メモ設定画面１０１３はアクティブでないメモを選択することによりアクティブなメモを変更できる。なお、アクティブなメモの変更を直ぐに行えるように、メモ設定画面１０１３のアクティブなメモを変更する部分を、クライアント用画面１０１０の別の場所に配置してもよい。
【００９４】
図１０はクライアント用画面に表示されるメモを表した一例のイメージ図である。図１０（Ｂ）に示すように、文書（会議資料）１００３を表示した画面上に、共有メモ１００１と、非共有メモ１００２と、が作成されている。共有メモ１００１及び非共有メモ１００２には、一例として曲線が描画されている。
【００９５】
共有メモ１００１が共有、表示の設定である場合、クライアント用画面１０１０には図１０（Ａ）に示すように、アクティブな共有メモ１００１に描画されている曲線が表示される。なお、非共有メモ１００２がアクティブになると、クライアント用画面１０１０には非共有メモ１００２に描画されている曲線が表示される。
【００９６】
図１１は会議システムのクライアント用画面の他の例のイメージ図である。図１１のクライアント用画面１０１０はメモ設定画面１０１３の構成が図９のクライアント用画面１０１０と異なっている。
【００９７】
図１１のメモ設定画面１０１３は会議サーバ装置１３に送信したメモと、会議サーバ装置１３に送信していないメモ（個人メモ）と、を区別している。会議サーバ装置１３に送信したメモ（会議サーバ装置１３上の共有メモ）は会議の参加者と共有済みのメモであるため、共有のチェックボックスが使用できなくなっている。なお、会議サーバ装置１３に送信したメモであっても、表示のチェックボックスは使用できる。会議サーバに送信していないメモ（クライアント装置１０の共有メモ、非共有メモ）は図９のメモ設定画面１０１３と同様に、共有、表示のチェックボックスが使用できる。
【００９８】
図１２は、メモの保存設定画面の一例のイメージ図である。会議からの退出時、会議終了時、クライアント用画面１０１０のメモ保存ボタンが押下されたとき等に、メモの保存方法を選択する画面１０２０を表示する。なお、会議からの退出時、会議終了時は、メモの保存方法を選択する画面１０２０を表示する前に、メモの保存の要否をユーザに問い合わせる画面１０２１を表示するようにしてもよい。
【００９９】
メモの保存方法を選択する画面１０２０は、メモを上書き保存、メモを別セクションとして挿入して保存、メモを統合して別文書として保存、各メモを別文書として保存、メモごとに設定する、からメモの保存方法を選択できる。なお、メモの保存方法を選択する画面１０２０から「メモごとに設定する」が選択されると、メモごとの保存方法を選択する画面１０２２を表示する。
【０１００】
なお、図１２のメモの保存方法を選択する画面１０２０及びメモごとの保存方法を選択する画面１０２２を利用する２段階のメモの保存設定は一例であって、どちらか一つを利用するものであってもよい。また、会議からの退出時、会議終了時、クライアント用画面１０１０のメモ保存ボタンが押下されたときに限らず、例えば会議システム１やユーザごとに予め設定できるようにしてもよい。
【０１０１】
＜処理の詳細＞
以下では、本実施形態に係る会議システム１の処理の詳細について説明する。
【０１０２】
《メモの生成》
図１３はメモを生成する処理の一例のフローチャートである。メモを作成するユーザはクライアント装置１０の入力装置５０１を操作し、例えば図９のクライアント用画面１０１０の新規メモ作成ボタン１０１１を押下する。ステップＳ１において、クライアント装置１０のイベント管理部２１はユーザからのメモ作成の要求を受信する。
【０１０３】
ステップＳ２において、クライアント装置１０のファイル管理部２４はデフォルトで例えば共有、表示が設定されている新しいメモを生成し、クライアント用画面１０１０上に表示する。なお、新しいメモは前述したように透明レイヤーであり、文書（会議資料）１００３の上に重ねて表示される。ステップＳ３において、クライアント装置１０の情報管理部２２はメモの情報を生成し、管理する。
【０１０４】
ステップＳ４において、クライアント装置１０の情報管理部２２はクライアント装置１０の一時保存領域に保存されるファイル（一時ファイル）のファイル情報とメモ情報とを関連付けて管理する。
【０１０５】
ステップＳ５において、クライアント装置１０のイベント管理部２１は例えば図９のメモ設定画面１０１３から共有／非共有の設定変更の要求があったか判定する。ユーザはメモの共有／非共有の設定変更を行いたいとき、クライアント装置１０の入力装置５０１を操作し、例えば図９のメモ設定画面１０１３からメモの共有／非共有の設定変更を要求できる。
【０１０６】
共有／非共有の設定変更の要求があったと判定すると、クライアント装置１０の情報管理部２２はステップＳ６に進み、メモ情報の共有フラグ（メモを共有するか非共有とするかを識別する情報）を変更する。なお、共有／非共有の設定変更の要求がなかったと判定すると、クライアント装置１０の情報管理部２２はステップＳ６の処理をスキップする。
【０１０７】
ステップＳ７において、クライアント装置１０のイベント管理部２１は例えば図９のメモ設定画面１０１３から表示／非表示の設定変更の要求があったか判定する。ユーザはメモの表示／非表示の設定変更を行いたいとき、クライアント装置１０の入力装置５０１を操作し、例えば図９のメモ設定画面１０１３からメモの表示／非表示の設定変更を要求できる。
【０１０８】
表示／非表示の設定変更の要求があったと判定すると、クライアント装置１０の情報管理部２２はステップＳ８に進み、メモ情報の表示フラグ（メモを表示するか非表示とするかを識別する情報）を変更する。なお、表示／非表示の設定変更の要求がなかったと判定すると、クライアント装置１０の情報管理部２２はステップＳ８の処理をスキップする。
【０１０９】
図１３のフローチャートの処理により、クライアント装置１０は、ユーザからメモ作成の要求と、メモの共有／非共有の設定変更の要求と、メモの表示／非表示の設定変更の要求と、を受け付けることができる。
【０１１０】
《発表者のメモの共有》
図１４は、発表者のメモを共有する処理の一例のフローチャートである。ステップＳ１１において、クライアント装置１０は参加者であったユーザが発表者になる等、発表者のクライアント装置１０になっているものとする。
【０１１１】
ステップＳ１２において、クライアント装置１０の情報管理部２２はメモ情報の共有フラグを確認して、既に共有となっているメモが存在するか判定する。既に共有となっているメモが存在すれば、ステップＳ１３に進み、クライアント装置１０の通信処理部２３は共有となっているメモ上に描画された曲線などの描画ストローク情報を会議サーバ装置１３に送信する。なお、既に共有となっているメモが存在しなければ、クライアント装置１０のファイル管理部２４はステップＳ１４に進み、共有のメモを生成する。
【０１１２】
例えば発表者のユーザはクライアント装置１０の入力装置５０１を操作し、例えば図９のクライアント用画面１０１０の共有のメモ上に曲線などを描画する。ステップＳ１３又はステップＳ１４に続いてステップＳ１５に進み、クライアント装置１０のイベント管理部２１は共有のメモ上への描画イベントを感知する。ステップＳ１６に進み、クライアント装置１０の通信処理部２３は共有となっているメモ上に新規に描画された曲線などの描画ストローク情報を会議サーバ装置１３に送信する。
【０１１３】
そして、ステップＳ１７において、クライアント装置１０のイベント管理部２１は発表者の交代、会議からの退出または会議終了が通知されたか判定する。発表者の交代、会議からの退出または会議終了が通知されなければ、クライアント装置１０はステップＳ１５に戻り、処理を続ける。
【０１１４】
発表者の交代、会議からの退出または会議終了が通知されれば、クライアント装置１０の通信処理部２３は共有となっているメモ上に描画された曲線などの描画ストローク情報の会議サーバ装置１３への送信を終了する。
【０１１５】
図１４のフローチャートの処理により、クライアント装置１０は、発表者のクライアント装置１０から共有となっているメモ上に描画された曲線などの描画ストローク情報を会議サーバ装置１３に送信できる。
【０１１６】
《会議サーバ装置及び文書管理サーバ装置の処理概要》
図１５は、会議サーバ装置及び文書管理サーバ装置の処理概要の一例のフローチャートである。
【０１１７】
ステップＳ２１において、会議サーバ装置１３は会議開始の通知を受信する。ステップＳ２２において、会議サーバ装置１３の一時保存ファイル管理部３８は文書管理サーバ装置１４からダウンロードされた会議資料を一時保存領域に保存する。ステップＳ２３において、会議サーバ装置１３の通信処理部３２はクライアント装置１０から共有のメモ情報を受信する。
【０１１８】
ステップＳ２４において、会議サーバ装置１３の一時保存ファイル管理部３８はクライアント装置１０から受信した共有のメモ情報を一時保存領域に一時保存ファイルの情報として登録する。ステップＳ２５において、会議サーバ装置１３の一時保存ファイル管理部３８は登録した共有のメモ情報から一時保存ファイルのメモ情報を生成する。ステップＳ２６において、会議サーバ装置１３の通信処理部３２は生成したメモ情報をクライアント装置１０群に配信し、同期させる。
【０１１９】
ステップＳ２７において、会議サーバ装置１３は、会議終了の通知を受信したかを判定する。会議終了の通知を受信していなければ、会議サーバ装置１３はステップＳ２３に戻り、処理を続ける。
【０１２０】
会議終了の通知を受信していれば、会議サーバ装置１３の一時保存ファイル管理部３８はステップＳ２８の処理を行う。ステップＳ２８において、会議サーバ装置１３の一時保存ファイル管理部３８は一時保存領域に一時保存ファイルの情報として登録されている共有のメモ情報を統合し、画像として会議資料の一時保存ファイルに上書きし、保存する。
【０１２１】
ステップＳ２９において、会議サーバ装置１３の会議情報管理部３５は保存した一時保存ファイルに会議情報を付与する。ステップＳ３０において、会議サーバ装置１３の通信処理部３２は一時保存ファイルと会議情報とを文書管理サーバ装置１４に送信する。文書管理サーバ装置１４はステップＳ３１において、受信した一時保存ファイルと会議情報とを所定のフォルダに保存する。
【０１２２】
図１５のフローチャートの処理により、会議サーバ装置１３は発表者のクライアント装置１０において共有となっているメモ上に描画された描画ストローク情報を参加者のクライアント装置１０に配信し、同期させることができる。また、会議サーバ装置１３は会議終了の通知を受信したあとで、共有のメモ情報を画像として上書きした会議資料の一時保存ファイルに会議情報を付与し、文書管理サーバ装置１４に保存させることができる。
【０１２３】
《メモの保存》
図１６はメモを保存する処理の一例のフローチャートである。メモを保存するユーザはクライアント装置１０の入力装置５０１を操作し、例えばクライアント用画面１０１０のメモ保存ボタン等を押下する。ステップＳ４１において、クライアント装置１０のイベント管理部２１はユーザからのメモの保存要求を受信する。
【０１２４】
ステップＳ４２において、クライアント装置１０のファイル管理部２４は例えばメモの保存方法を選択する画面１０２０を表示する。ステップＳ４３において、クライアント装置１０のイベント管理部２１はユーザからメモの保存方法の指定を受信する。ステップＳ４４において、クライアント装置１０のファイル管理部２４は受信したメモの保存方法の指定に従い、メモ情報とファイル情報とを編集又は生成する（メモ情報とファイル情報とを統合、別ファイル生成など）。
【０１２５】
ステップＳ４５において、クライアント装置１０の通信処理部２３はステップＳ４４において編集又は生成したメモ情報及びファイル情報と、ユーザ情報とを、会議サーバ装置１３に送信する。ステップＳ４６において、会議サーバ装置１３の会議情報管理部３５はクライアント装置１０から受信したメモ情報及びファイル情報に会議情報を付与する。
【０１２６】
ステップＳ４７において、会議サーバ装置１３の通信処理部３２はクライアント装置１０から受信したメモ情報及びファイル情報と、ユーザ情報と、付与した会議情報とを、文書管理サーバ装置１４に送信する。ステップＳ４８において、文書管理サーバ装置１４の文書登録処理部４３又は文書更新処理部４４は会議サーバ装置１３から受信したメモ情報及びファイル情報と、ユーザ情報と、会議情報と、をもとにユーザの個人フォルダに個人メモつきファイルを保存する。なお、図１６では個人メモつきファイルを文書管理サーバ装置１４に保存する例について説明したが、クライアント装置１０に保存するようにしてもよい。
【０１２７】
＜まとめ＞
以上、本実施形態における会議システム１は、クライアント装置１０の画面に表示された会議資料などの文書にクライアント装置１０から文字や描画をメモとして記入できる場合に、文書への記入について、メモごとに共有／非共有を設定できる。具体的に、本実施形態に係る会議システム１では共有している文書上に文字や描画の記入を行う場合、文書上にレイヤーを重ねて、そのレイヤー上にメモとして文字や描画の記入を行う。
【０１２８】
文書と共にメモも共有する場合は文書に重ねたレイヤーを会議の参加者で共有することで実現する。本実施形態における会議システム１では文書上のレイヤーを必要に応じて複数枚、作成できるものとし、レイヤー単位で共有／非共有、表示／非表示を制御できるようにしている。例えばユーザは文字や描画を記入する際、自由にレイヤーを増やして記入を行うことができ、レイヤー単位で共有／非共有、表示／非表示を設定できる。
【０１２９】
したがって、本実施形態における会議システム１では、文書へのメモの記入を、一部を共有、一部を非共有というように制御できる。また、本実施形態における会議システム１ではレイヤー単位で文字や描画を記入することで、メモの記入の一部を文書に上書き（合成）して保存することや、メモの記入の一部を別ファイルに保存することなど、用途や目的に応じてメモの保存方法を制御できる。
【０１３０】
本発明は、具体的に開示された上記の実施形態に限定されるものではなく、特許請求の範囲から逸脱することなく、種々の変形や変更が可能である。
【０１３１】
例えば特許請求の範囲に記載した操作端末はクライアント装置１０に対応する。情報処理装置は会議サーバ装置１３、文書管理サーバ装置１４に対応する。情報は文書（会議資料１００３）に相当する。記入画像は、共有メモ１００１又は非共有メモ１００２に対応する。表示制御手段はファイル管理部２４に対応する。設定受付手段は情報管理部２２に対応する。送信手段は通信処理部２３に対応する。
【０１３２】
情報の画像に対する操作権限を有するユーザは発表者に対応する。情報の画像に対する操作権限を有さないユーザは参加者に対応する。保存方法受付手段はメモの保存方法を選択する画面１０２０に対応する。保存手段はファイル管理部２４に対応する。
【０１３３】
なお、図１の会議システム１は一例であって、用途や目的に応じて様々なシステム構成例があることは言うまでもないことである。
【符号の説明】
【０１３４】
１      会議システム
１０    クライアント装置
１１    映像投影装置
１２    表示装置
１３    会議サーバ装置
１４    文書管理サーバ装置
１８    ネットワーク
２１    イベント管理部
２２    情報管理部
２３    通信処理部
２４    ファイル管理部
３１    情報管理部
３２    通信処理部
３５    会議情報管理部
３６    状態管理部
３７    ユーザ情報管理部
３８    一時保存ファイル管理部
４１    情報管理部
４２    通信処理部
４３    文書登録処理部
４４    文書更新処理部
４６    文書情報管理部
４７    ユーザ情報管理部
５０１、６０１、７０１    入力装置
５０２、６０２、７０２    表示装置
５０３、６０３、７０３    外部Ｉ／Ｆ
５０３ａ、６０３ａ、７０３ａ    記録媒体
５０４、６０４、７０４    ＲＡＭ（Random Access Memory）
５０５、６０５、７０５    ＲＯＭ（Read Only Memory）
５０６、６０６、７０６    ＣＰＵ（Central Processing Unit）
５０７、６０７、７０７    通信Ｉ／Ｆ
５０８、６０８、７０８    ＨＤＤ（Hard Disk Drive）
１００１    共有メモ
１００２    非共有メモ
１００３    会議資料
１０１０    クライアント用画面
１０１１    新規メモ作成ボタン
１０１２    メモ選択／設定ボタン
１０１３    メモ設定画面
１０２０    メモの保存方法を選択する画面
１０２１    メモの保存の要否をユーザに問い合わせる画面
１０２２    メモごとの保存方法を選択する画面
Ｂ    バス
【先行技術文献】
【特許文献】
【０１３５】
【特許文献１】特開２００６−１６４１７７号公報
【図１】
2015043149.tif 000003
【図２】
2015043149.tif 000004
【図３】
2015043149.tif 000005
【図４】
2015043149.tif 000006
【図５】
2015043149.tif 000007
【図６】
2015043149.tif 000008
【図７】
2015043149.tif 000009
【図８】
2015043149.tif 000010
【図９】
2015043149.tif 000011
【図１０】
2015043149.tif 000012
【図１１】
2015043149.tif 000013
【図１２】
2015043149.tif 000014
【図１３】
2015043149.tif 000015
【図１４】
2015043149.tif 000016
【図１５】
2015043149.tif 000017
【図１６】
2015043149.tif 000018